(57)【要約】【課題】  容器等に両端を接続したストラップにおいて、ストラップを容易に収納できると共に長さ調節も容易にする。【解決手段】  容器に両端を接続したストラップ本体６と、ストラップ本体６の長手方向の一部に装着された折り曲げ可能なグリップ７を備える。グリップ７の幅ｂをストラップ本体６の幅ａの４倍以上に形成する。ストラップ本体６はグリップ７の幅方向のいずれか一方の端部側７ｃに設けられる。ストラップ本体６をグリップ７の通し口８ａで折り返し、そして展開状態のグリップ７を回転させてｙ方向に３回巻くようにしてストラップ本体６を収納する。ストラップ本体６の収納操作を容易に行なうことができる。しかも、グリップ７にストラップ本体６が巻いて固定されるようになるので、手提げ時にはストラップ本体６の長さが変わることはない。【選択図】図５
2005350084.tif 000002
【特許請求の範囲】
【請求項１】
被吊り下げ体に両端を接続した吊り下げ用のストラップ本体と、前記ストラップ本体の長手方向の一部に装着された折り曲げ可能なグリップを備え、前記ストラップ本体の長手方向と交差する方向の前記グリップの幅は少なくとも前記ストラップ本体の幅の４倍以上に形成したことを特徴とするストラップ。
【請求項２】
前記グリップに前記ストラップ本体の長手方向の一部が挿入する該ストラップ本体の通し部を設けたことを特徴とする請求項１記載のストラップ。
【請求項３】
前記グリップを前記ストラップ本体の長手方向のほぼ中央に固定したことを特徴とする請求項１記載のストラップ。
【請求項４】
前記ストラップ本体は、該ストラップ本体の長手方向と交差する方向の前記グリップの幅方向のいずれか一方の端部側に設けられたことを特徴とする請求項１〜３のいずれか１項に記載のストラップ。
【請求項５】
前記ストラップ本体の前記グリップに固定手段を設けたことを特徴とする請求項１〜４のいずれか１項に記載のストラップ。
【発明の詳細な説明】
【技術分野】
【０００１】
本発明は、保温容器の吊り下げなどに使用されるストラップに関するものである。
【背景技術】
【０００２】
従来、携帯用保温容器には手提げ或いは肩掛け等のためにベルト状のストラップが設けられており、このストラップはその両端を容器に接続している。（例えば特許文献１）。
【０００３】
このようなストラップの長さ調節は、例えばストラップ本体の端部にオクリなどと称されるストラップ本体の端部の織り返しで調整する長さ調節具を介して被吊り下げ体たる容器に接続している。そして、従来の収納式のストラップは、長さ調節具で長さを調節してから、ストラップを数回畳んでその上にグリップを巻いて収納するというものであった。
【特許文献１】実開平６−７５２２５号公報
【発明の開示】
【発明が解決しようとする課題】
【０００４】
しかしながら、従来技術においては収納状態にしたり、元の状態に戻すためにはわざわざ長さ調節具を調節しなければならないために扱いが煩雑であった。
【０００５】
解決しようとする問題点は、容器等に両端を接続したストラップにおいて、ストラップを容易に収納できると共に長さ調節も容易にする点である。
【課題を解決するための手段】
【０００６】
請求項１の発明は、被吊り下げ体に両端を接続した吊り下げ用のストラップ本体と、前記ストラップ本体の長手方向の一部に装着された折り曲げ可能なグリップを備え、前記ストラップ本体の長手方向と交差する方向の前記グリップの幅は少なくとも前記ストラップ本体の幅の４倍以上に形成したことを特徴とするストラップである。
【０００７】
請求項２の発明は、前記グリップに前記ストラップ本体の長手方向の一部が挿入する該ストラップ本体の通し部を設けたことを特徴とする請求項１記載のストラップである。
【０００８】
請求項３の発明は、前記グリップを前記ストラップ本体の長手方向のほぼ中央に固定したことを特徴とする請求項１記載のストラップである。
【０００９】
請求項４の発明においては、前記ストラップ本体は、該ストラップ本体の長手方向と交差する方向の前記グリップの幅方向のいずれか一方の端部側に設けられたことを特徴とする請求項１〜３のいずれか１項に記載のストラップである。
【００１０】
請求項５の発明においては、前記ストラップ本体の前記グリップに固定手段を設けたことを特徴とする請求項１〜４のいずれか１項に記載のストラップである。
【発明の効果】
【００１１】
請求項１の発明によれば、グリップを軸に巻くようにしてストラップ本体を収納できるので、収納操作を容易に行なうことができると共に、ストラップ本体を収納した手提げ時等にはストラップ本体の長さが変わることのないため使いやすく、さらに収納時にはストラップ本体自体もグリップに巻かれて一体となり、グリップを大きくでき握りやすくなる。さらに、グリップはストラップを伸ばした状態において肩当てとして使用できる。
【００１２】
請求項２の発明によれば、ストラップ本体にグリップが相対的に移動でき、グリップをストラップ本体の所定位置にスライドすることができる。
【００１３】
請求項３の発明によれば、グリップがほぼ中央に配置されるため、グリップの位置調節を不要とすることができる。
【００１４】
請求項４の発明によれば、グリップの他方の端部を摘んで展開状態のグリップを一方向に巻くことでストラップ本体を簡単に収納することができる。
【００１５】
請求項５の発明によれば、固定手段によりグリップを固定することでグリップの握りの安定性を向上することができる。
【発明を実施するための最良の形態】
【００１６】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１７】
図１〜図５は実施例１を示しており、被吊り下げ体である保温容器１は、外容器２の内側に断熱層を介して内容器３が設けられると共に、上部開口には断熱蓋４が着脱自在に設けられている。保温容器１を吊り下げするストラップ５は、外容器２の外周に両端が接続される織ベルト状のストラップ本体６と、該ストラップ本体６の長手方向の一部に装着されるグリップ７とからなる。ストラップ本体６は、折り曲げ可能であって断面が偏平に形成されている。グリップ７は平面が矩形の偏平体であって布などによって可撓性に形成され、さらに表部７ａ及び裏部７ｂの縁を一体に縫い合せて折り曲げ可能に形成されている。尚、グリップ７には握りやすさやグリップ７の巻きやすさを浴するために、該グリップ７に別部材の弾性体や補強材を設けておいてもよい。
【００１８】
そして、ストラップ本体６の幅ａの少なくとも４倍以上に、該ストラップ本体６の長手方向と直交して交差するグリップ７の幅ｂが展開状態において形成されている。したがって、グリップ７の幅ｂ方向が後述するように該グリップ７の折り曲げられる方向となる。また、グリップ７における幅方向の一方の端部７ｃに沿ってストラップ本体６の幅ａとほぼ同じ幅かやや大きい幅を有するストラップ本体６の通し部８が形成されており、この通し部８にストラップ本体６の長手方向がスライド自在に挿入されるようになっている。
【００１９】
実施例ではグリップ７の幅ｂはストラップ６の幅ａのほぼ４倍に形成されており、一方の端部７ｃ側より幅方向の他方の端部７ｄにかけてストラップ本体６の幅ａとほぼ同じかやや大きい幅で第１〜４の幅部９，10，11，12が折り目としての第１〜３の縫い目９ａ，10ａ，11ａによってほぼ均等に区画されており、そのうち第１の幅部10の長手方向の両側に通し部８の通し口８ａが形成されている。
【００２０】
さらに、通し部８に隣接する第２の幅部10の表部７ａ表面には一方の固定手段としての一方の面ファスナー13が設けられ、第４の幅部12の裏部７ｂ表面には一方の面ファスナー13に着脱可能な他方の固定手段としての他方の面ファスナー14が設けられている。
【００２１】
尚、固定手段は面ファスナーに限定されるものではなく、ホックやボタン或いは線状の開閉用ファスナーでもよく、そのうちワンタッチで着脱できるものが好ましい。図中15はストラップ本体６の端部に設けられ該端部の折り返し長さを微調節する長さ調整具を示している。
【００２２】
次に前記構成についてその作用を説明する。ストラップ５を肩掛けするような場合は、図４に示すようにグリップを７ストラップ本体６の中央に移動させ、そしてストラップ本体６を第１の幅部９にある通し部８に通した状態のまま、第２の幅部10を第１の幅部９との第１の縫い目９ａを折り目として一方の面ファスナー13が外側になるように折り曲げて矢印ｘ方向に巻き付ける。さらに、第３の幅部11を第２の幅部10との第２の縫い目10ａを折り目として同じ方向に巻き付けた後、第４の幅部12を第３の幅部11との第３の縫い目11ａを折り目として同じ方向に巻き付け、他方の面ファスナー14を内側になるようにすると共に、他方の面ファスナー14を一方の面ファスナー13に連結する。これにより、ストラップ本体６にグリップ７が巻き付けられて装着する。この際、ストラップ本体６は通し部８に直線状に挿入しているので、グリップ７はストラップ本体６の長手方向に対してスライド自在となっており、このためストラップ５を伸ばした状態でグリップ７を肩に肩当てとして当てた際、ストラップ本体６がグリップ７をスライドして容器１が最下方に位置するような安定状態になる。
【００２３】
一方、図１に示すように容器１を手提げ状態とするには、まずグリップ７をストラップ本体６の所定位置に移動させた後、ストラップ本体６が直線状の図４の状態から図５に示すように通し部８の一方の通し口８ａにあるストラップ本体６の長手方向部位６ａを裏部７ｂに載せるように折り返し、次に第２の幅部を第１の幅部との第１の縫い目を折り目として一方の面ファスナー13が外側になるように矢印ｙ方向に折り曲げて巻き付ける。この際、ストラップ本体６の折り返した長手方向部位６ａは第１の幅部９の裏部７ｂと第２の幅部10の裏部７ｂとの間に挟まれるようになる。さらに、第３の幅部11を第２の縫い目10ａを折り目として同じ方向に巻き付けた後、第４の幅部12を第３の縫い目11ａを折り目として同じ方向に巻き付け、他方の面ファスナー14を一方の面ファスナー13に連結する。これにより、ストラップ本体６にグリップ７が巻き付けられて装着する。そして、他方の通し口８ｂにあるストラップ本体５の長手方向部位６ｂを図２に示すように一方の通し口８ａ側に折り返した後、巻かれた状態のグリップ７の表部７ａに長手方向部位６ｂを当てて一体的に握って手提げ状態とするものである。この際、ストラップ本体６にグリップ７が巻き付けられて装着しているので、ストラップ本体６が通し口８より繰出すようなことはなく、ストラップ本体６は所定の長さを維持することができる。
【００２４】
以上のように、前記実施例では容器１に両端を接続したストラップ本体６と、ストラップ本体６の長手方向の一部に装着された折り曲げ可能なグリップ７を備え、グリップ７の幅をストラップ本体６の幅ａの４倍に形成したことにより、容器１の手提げ状態のようにストラップ本体６をグリップ７の通し口８ａで折り返し、そして展開状態のグリップ７を回転させて３回巻くようにしてストラップ本体６を収納できるので、ストラップ本体６の収納操作、ひいてはストラップ本体６の長さ調節をオクリ等と称する長さ調整具を使用しないでも容易に行なうことができる。しかも、グリップ７にストラップ本体６が巻いて固定されるようになるので、手提げ時にはストラップ本体６の長さが変わることのないため使いやすく、さらに収納時にはストラップ本体６自体もグリップ７に巻かれて一体となり、グリップ７を大きくでき握りやすくなる。
【００２５】
またグリップ７にはストラップ本体６の長手方向の一部が挿入する該ストラップ本体６とほぼ同じような幅の通し部８を設けたことにより、ストラップ本体６にグリップ７が相対的に移動でき、グリップ７をストラップ本体６の所定位置にスライドすることができる。
【００２６】
さらに、ストラップ本体６はグリップ７の幅方向のいずれか一方の端部側７ｃに設けられたことにより、他方の端部側７ｄを摘んで展開状態のグリップ７を一方向に巻くだけでストラップ本体６を簡単に収納することができる。
【００２７】
しかも、グリップ７には、固定手段としての面ファスナー13，14を設け、巻かれたグリップ７を固定することでグリップ７の握りの安定性を向上することができる。
【実施例２】
【００２８】
図６、７は実施例２を示しており、前記実施例１と同一部分には同一符号を付し、その詳細な説明を省略する。実施例２では、ストラップ本体６の長さ方向のほぼ中央を、第１の幅部９の裏部７ｂに縫着部21等により固定したものであって、ストラップ本体６の長さ方向を第１の幅部９の長さ方向と一致させている。
【００２９】
したがって、容器を肩掛けするような場合は、図６に示すようにストラップ本体６の中央には予めグリップ７が固定されており、展開状態のグリップ７を回転させて３回巻くようにしてグリップ７を固定して使用する。一方、容器を手提げ状態とするには、図５の状態の後に図６に示すようにストラップ本体６の長手方向部位６ａを裏部７ｂに載せるように折り返した後、第２〜４の幅部10，11，12を順次折り曲げて巻き付けて、ストラップ本体６を収納できるので、ストラップ本体６の長さ調節を容易に行なうことができる。
【００３０】
このように、グリップ７をストラップ本体６の長手方向のほぼ中央に固定したことにより、ストラップ本体６の収納後は、グリップ７が必ず中央に配置されるため、グリップ７の位置調節を不要とすることができる。
【産業上の利用可能性】
【００３１】
以上のように本発明にかかる、用途にも適用できる。グリップの幅をストラップ本体の幅の４倍ではなく、４倍以上に形成してもよい。
【図面の簡単な説明】
【００３２】
【図１】本発明の実施例１を示す全体斜視図である。
【図２】本発明の実施例１を示す要部の一部切り欠き斜視図である。
【図３】本発明の実施例１を示す要部の断面図である。
【図４】本発明の実施例１を示すストラップ本体が直線状の要部の展開状態の斜視図である。
【図５】本発明の実施例１を示すストラップ本体を重ねた状態の要部の展開状態の斜視図である。
【図６】本発明の実施例２を示すストラップ本体が直線状の要部の展開状態の斜視図である。
【図７】本発明の実施例２を示すストラップ本体を重ねた状態の要部の展開状態の斜視図である。
【符号の説明】
【００３３】
１  容器（被吊り下げ体）
６  ストラップ本体
７  グリップ
７ｃ  端部側
８  通し部
ａ  ｂ  幅
【図１】
2005350084.tif 000003
【図２】
2005350084.tif 000004
【図３】
2005350084.tif 000005
【図４】
2005350084.tif 000006
【図５】
2005350084.tif 000007
【図６】
2005350084.tif 000008
【図７】
2005350084.tif 000009